(57)【要約】【課題】遊技盤と表示装置との間隔を調節可能にした遊技機を提供する。【解決手段】遊技機は、本体枠に前面側から取り付けられる遊技盤５と、遊技盤５の背面側で、前記本体枠に取り付けられる表示装置４とを含み、表示装置と遊技盤の少なくとも一方を、本体枠に対して遊技機の奥行き方向に水平移動させるための移動手段Ｃを含む。移動手段は、本体枠に固定され、遊技機の奥行き方向に水平に配されたスライドレール３０と、表示装置と遊技盤の少なくとも一方に固定され、スライドレールに沿って、遊技機の奥行き方向に水平移動させるための案内部材４０とからなる。また、遊技盤の背面側と表示装置の表面側の少なくとも一方には、遊技盤と表示装置との間隔が、所定の間隔よりも近接することを防止するストッパＥを備え、水平移動した、表示装置と遊技盤のいずれか一方を、水平移動後の所定位置にて、位置決め固定する固定手段Ｄを備えている。【選択図】図５
2010051636.tif 000002
【特許請求の範囲】
【請求項１】
役物などの遊技部材を備え、本体枠に前面側から取り付けられる遊技盤と、
遊技盤の背面側で、前記本体枠に取り付けられる表示装置と、
表示装置と遊技盤の少なくとも一方を、本体枠に対して遊技機の奥行き方向に水平移動させるための移動手段を含む
ことを特徴とする遊技機。
【請求項２】
移動手段は、
本体枠に固定され、遊技機の奥行き方向に水平に配されたスライドレールと、
表示装置と遊技盤の少なくとも一方に固定され、スライドレールに沿って、遊技機の奥行き方向に水平移動させるための案内部材とからなる
ことを特徴とする請求項１に記載の遊技機。
【請求項３】
相対向する、遊技盤の背面側と表示装置の表面側の少なくとも一方には、遊技盤と表示装置との間隔が、所定の間隔よりも近接することを防止するストッパを備えたことを特徴とする請求項１又は２に記載の遊技機。
【請求項４】
水平移動した、表示装置と遊技盤のいずれか一方を、水平移動後の所定位置にて、位置決め固定する固定手段を備えていることを特徴とする請求項１乃至３のいずれかに記載の遊技機。
【請求項５】
役物などの遊技部材を備え、本体枠に前面側から取り付けられる遊技盤と、
遊技盤の背面側で、前記本体枠に取り付けられる表示装置と、
を含み、
相対向する、遊技盤の背面側と表示装置の表面側の少なくとも一方には、遊技盤と表示装置との間隔が、所定の間隔よりも近接することを防止するストッパを備えたことを特徴とする遊技機。
【発明の詳細な説明】
【技術分野】
【０００１】
本発明は、遊技盤と表示装置との間隔を調節することが可能な遊技機に関する。
なお、本発明の遊技機とは、いわゆるパチンコ機と称される弾球遊技機、いわゆるパチスロ機と称される回胴式遊技機の双方を対象としている。
【背景技術】
【０００２】
遊技機には、その本体枠に、遊技部材が配された遊技盤と、遊技盤の背面側に配される表示装置とが備えられており、遊技者は、遊技盤上に遊技球を打ち出して流下させることにより遊技を行っている。この場合、遊技場（ホールとも称する）では、遊技者の遊技に対する興趣向上を図るため、遊技者の嗜好の変化や流行の変化にあわせて、比較的頻繁に、新たな趣向の遊技部材が配された遊技盤を備えた遊技機に交換する必要があった。
【０００３】
ところが、従来の遊技機は、遊技盤と表示装置とが一体となって本体枠に取り付けられていたため、新たな趣向の遊技部材が配された遊技盤に交換する場合には、遊技盤と表示装置とが同時に交換されていた。この場合、交換前の表示装置と交換後の表示装置は同一の部材が使用されていることが多く、表示装置が重複して製造されるコストが問題となり、遊技盤のみを交換可能な遊技機の提供が望まれていた。そこで、このような要望に応えるため、本願出願人は、遊技盤のみを容易に交換可能な遊技機を提供している（特許文献１参照）。
【特許文献１】特開２００５−１３１３２８号公報
【発明の開示】
【発明が解決しようとする課題】
【０００４】
上記特許文献１で提案した遊技機は、遊技島に取り付けられる外枠と、その外枠に回動可能に取り付けられる中枠とで本体枠を構成し、その中枠に液晶表示装置を取り付けるとともに、その中枠に前面側から遊技盤を取り付けるようにしている。
上記特許文献１で提案した技術により、構成に変更のない遊技盤以外の部材、例えば前記液晶表示装置を継続して使用することが可能となり、製造コストの低減や資源保護に大変優れたものであった。
しかし、新たに組み込まれる遊技盤にあっては、その遊技性や趣向によって奥行き方向に突出する役物などを備え、そのような役物等の構造物を含めた遊技盤の奥行き方向の寸法が増加した構造となる場合もある。この場合には、次のような課題が残されていた。
（１）遊技盤を設計する際に、前記遊技盤の奥行き方向の寸法を、交換前の遊技盤の奥行き方向の寸法と同一にしなければならないといった制約が伴なっていた。このため、遊技者の嗜好の変化や流行の変化にあわせた、遊技者の興趣を向上することのできる遊技盤を提供し難くなるといった課題が残されていた。
（２）上記制約によらず、新たに製造した遊技盤の奥行き方向の寸法と交換前の遊技盤の奥行き方向の寸法が相違した場合、とりわけ、新たに製造した遊技盤の奥行き方向の寸法が増加した場合には、遊技盤の背面側に配される表示装置と、遊技盤の背面との間隔が小さくなってしまうため、表示装置に傷が生じたり、放熱の問題が生じたりすることを防止するといった課題が残されていた。
【０００５】
本発明は、このような問題を解決するためになされており、その目的とするところは、遊技盤と表示装置との間隔を調節可能にした遊技機を提供することである。
【課題を解決するための手段】
【０００６】
このような目的を達成するために、第１の発明による遊技機は、本体枠に前面側から取り付けられる遊技盤５と、遊技盤５の背面側で、前記本体枠に取り付けられる表示装置４とを含み、表示装置４と遊技盤５の少なくとも一方を、本体枠に対して遊技機の奥行き方向に水平移動させるための移動手段Ｃを含むことを特徴とする。
本発明によれば、移動手段Ｃにより、表示装置４と遊技盤５の少なくとも一方が、本体枠に対して奥行き方向に水平移動可能であるため、組み込まれる遊技盤５の奥行き方向の寸法に合わせて、表示装置４と遊技盤５との間隔を変更可能である。従って、新たに製造した遊技盤全体の厚さ寸法と交換前の遊技盤５の奥行き方向の寸法が相違した場合であっても、表示装置４と遊技盤５との間隔を適正な間隔Ｌ５に調整して、組み込むことが可能である。また、遊技盤５の奥行き方向の寸法が増加することにより、背面側に配される表示装置４に傷が生じたり、放熱の問題が生じたりする虞もない。
【０００７】
第２の発明による遊技機は、前記第１の発明による遊技機において、移動手段Ｃは、本体枠に固定され、遊技機の奥行き方向に水平に配されたスライドレール３０と、表示装置４と遊技盤５の少なくとも一方に固定され、スライドレール３０に沿って、遊技機の奥行き方向に水平移動させるための案内部材４０とからなることを特徴とする。
本発明によれば、表示装置４と遊技盤５の少なくとも一方が、本体枠に固定されたスライドレール３０に沿って、遊技機の奥行き方向に水平移動できるので、表示装置４と遊技盤５との間隔を適正な間隔Ｌ５に調整する作業が容易である。
【０００８】
第３の発明による遊技機は、前記第１の発明又は第２の発明による遊技機において、相対向する、遊技盤５の背面５ｂ側と表示装置４の表面４ａ側の少なくとも一方には、遊技盤５と表示装置４との間隔が、所定の間隔よりも近接することを防止するストッパＥを備えたことを特徴とする。
本発明によれば、表示装置４と遊技盤５との間隔を適正な間隔Ｌ５に調整する際に、所定の間隔Ｌ５よりも近接することがないので、表示装置４と遊技盤５との間隔Ｌ５の計測作業を排することができ、調整作業を容易にするとともに、作業時間を短縮することができた。
【０００９】
第４の発明による遊技機は、前記第１の発明乃至第３の発明のいずれかの発明による遊技機において、水平移動した、表示装置４と遊技盤５のいずれか一方を、水平移動後の所定位置にて、位置決め固定する固定手段Ｄを備えていることを特徴とする。
本発明によれば、水平移動させて適正に調整された表示装置４と遊技盤５との間隔Ｌ５が、調整後に、不適正な間隔に移動することを防止できるので、表示装置４に傷が生じたり、放熱の問題が生じたりする虞を防止することができた。
【００１０】
第５の発明による遊技機は、役物などの遊技部材１０を備え、本体枠に前面側から取り付けられる遊技盤５と、遊技盤５の背面５ｂ側で、前記本体枠に取り付けられる表示装置４とを含み、相対向する、遊技盤５の背面５ｂ側と表示装置４の表面４ａ側の少なくとも一方には、遊技盤５と表示装置４との間隔が、所定の間隔Ｌ５よりも近接することを防止するストッパＥを備えたことを特徴とする。
本発明によれば、前記移動手段Ｃを備えない従来型の遊技機であっても、遊技盤５を取り付ける際に、表示装置４と遊技盤５との間隔を適正な間隔Ｌ５であるか否かを計測する必要がないので、遊技盤５の取り付け作業を容易にするとともに、作業時間を短縮することができた。
【発明の効果】
【００１１】
本発明によれば、遊技盤と表示装置との間隔を調節可能にした遊技機を提供することができる。
【発明を実施するための最良の形態】
【００１２】
以下、本発明の一実施形態について説明する。なお、本実施形態は本発明の一例にすぎずなんらこれに限定解釈されるものではなく、本発明の範囲内で設計変更可能である。
【実施例１】
【００１３】
本実施例では、本発明をパチンコ機に適用した一例を説明し、図１乃至図５は、その概略構成を示す。なお、図１は、パチンコ機のフロント扉を取り外した状態を示す正面図であり、図２は、図１の状態の斜視図であり、図３は、図１の状態から遊技盤５を取り外した正面図であり、図４は、図３の状態の斜視図であり、図５は、表示装置４と遊技盤５を取り外した状態を示す構成図である。
【００１４】
パチンコ機には、その本体枠に、遊技盤５と表示装置４とが取り付けられている。具体的には、本体枠は、遊技場の島設備に固定される外枠１と、外枠１に回動可能に取り付けられた内枠２とからなる。
その内枠２には、その前面側（図中の手前側）から遊技盤５が着脱自在に取り付けられるとともに、該遊技盤５の背面側（図中の奥側）に表示装置４が取り付けられている。そして内枠２の前面には、ガラス板を嵌めたフロント扉が回動自在に軸支されている。
【００１５】
表示装置４は、遊技に関する装飾的な演出表示等を行うため、液晶表示装置（ＬＣＤ：Liquid Crystal Display）や、投影機からの動画又は静止画を、反射板で屈折して表示させる投影型画像表示装置も対象で、特に限定されず本発明の範囲内で種々の表示装置が適用される。
なお、表示装置４の大きさなど特に限定はされないが、本実施例では、２０インチの大型ＬＣＤが適用されており、透光性部材からなる本実施例の遊技盤ベース５ａを介して広く液晶表示による演出表示が可能であり、遊技性・装飾性などを向上させるものとしている。
【００１６】
遊技盤５は、遊技盤ベース５ａに種々の遊技部材１０を備えて構成されている。
遊技盤ベース５ａは、例えば本実施例では、その遊技盤ベース全体を透光性部材（透明部材）で形成して裏側が視認可能な透明な遊技盤ベースとしている。また、遊技盤ベース５ａは、透光性部材で形成した領域を少なくとも一部に有し、該透光性部材で形成した領域を介して、遊技盤ベース５ａの背面側に配される表示装置４が臨む構成であれば本実施例の範囲である。
【００１７】
遊技盤ベース５ａを形成する透光性部材は、遊技部材１０を固定でき、かつ、容易に変形しない（曲がらない）又は変質しない程度の硬度・強度等を有し、かつ透明な材質のものを選択する。
例えば、透明性の高い硬質の合成樹脂材が一例として挙げられ、さらに具体的には、無色透明のアクリル樹脂材、ポリカーボネート樹脂、ポリアリレート樹脂などが任意に選択される。また、樹脂以外の材質、例えばガラスなどを採用することも本発明の範囲内であり設計変更可能である。
【００１８】
遊技盤ベース５ａの全体を構成する透光性部材は無色透明とするが、有色透明部材を採用することも可能である。また仕様によっては遊技盤ベース５ａを無色透明部材と有色透明部材とで構成したり、遊技盤ベース５ａに色彩・模様を施したりすることも可能であり、表示装置４による演出に悪影響を及ぼさない範囲内で設計変更可能である。この場合、模様は無色透明の線図が好ましいが、遊技盤ベース５ａの裏面側に配設される表示装置４の構成によっては有色模様を施すことも可能である。
【００１９】
また、遊技盤５は、遊技盤ベース５ａの背面に着脱自在に固定されるスペーサＳを有している。スペーサＳは、前記表示装置４の演出表示を遮ることのないように、板状体の中央部分に開口部を有して、遊技盤ベース５ａの背面の縁部周辺部に沿った「口」字状に形成されている。
スペーサＳが遊技盤ベース５ａの背面５ｂに固定されることによって、遊技球の転動や各遊技部材１０の動作による振動が、表示装置４や、遊技機の内部に配される制御装置へ伝達することが抑制される。
【００２０】
遊技部材１０は、パチンコ遊技機において遊技に必要な全ての部材を言い、例えば、遊技盤ベース５ａの表側の遊技領域Ａを区画すると共に、図示しない発射ソレノイドから打ち出される遊技球を遊技領域Ａに導くガイドレール１１、大当たりとするか否かの抽選処理を起動する始動口１２、その始動口１２を拡開するためのチューリップ式の普通電動役物１２ｂ、大当たり時に大入賞口１３を開放するアタッカと称する特別電動役物１３ａ、前記普通電動役物に備わるチューリップ式の羽根部材１２ａを開放状態とするか否かの抽選処理を起動する通過ゲート１５、一般入賞口となる入賞口１４、始動口１２や大入賞口１３への入賞を逃したアウト球を排出するアウト口１６、遊技盤ベース５ａに打たれている図示しない多数の遊技釘、遊技盤ベース５ａの表側の遊技領域Ａを転動流下する遊技球を裏側へと転動案内し、該案内された遊技球を遊技盤ベース５ａの裏側の遊技領域（図示せず）で転動させた後に表側の遊技領域Ａに排出するワープユニット１７などが一例として挙げられる。
【００２１】
本実施例によるパチンコ機は、表示装置４を内枠２に対して、パチンコ機の奥行き方向（図４中、両矢印Ｂ参照）に水平移動させるための移動手段Ｃと、水平移動した表示装置４を水平移動後の所定位置にて位置決め固定する固定手段Ｄと、相対向する遊技盤５と表示装置４との間隔が所定の間隔よりも近接することを防止するストッパＥを有している。
【００２２】
該移動手段Ｃは、内枠２に配されたスライドレール３０と、表示装置４に配され、該スライドレール３０に沿って水平移動可能な案内部材４０と、内枠２の所定位置に配されたスリット２ｂとからなる。案内部材４０がスライドレール３０に水平移動することにより、表示装置が内枠２に対して水平移動する。
スライドレール３０は、図３に示すように、表示装置４を挟んで左右方向に対向した、内枠２の垂直方向の内面２ａ，２ａに、それぞれ上下２箇所ずつ、合計４箇所に、パチンコ機の奥行き方向に水平に配されている。なお、スライドレール３０が配される数や位置については、これに限定されず、パチンコ機の構成部材の形状に合わせて自由に設定されれば良い。
具体的には、スライドレール３０は、図６に示すように、内枠２の垂直方向の内面２ａに沿わせて、奥行き方向に平滑に延設された第１の板状部材３１と、該第１の板状部材３１の上下端からそれぞれ第１の板状部材３１に直交して、表示装置４に向けて延出した一対の第２の板状部材３２，３２と、該第２の板状部材３２，３２の遊端から、それぞれ第２の板状部材３２，３２に直交して、向かい合う方向に延出した、一対の第３の板状部材３３，３３とで構成されている。
【００２３】
この場合、第３の板状部材３３，３３の向かい合った一対の遊端間には、所定の間隔３３ａが形成されている。これにより、スライドレール３０の断面形状は、第１の板状部材３１と第２の板状部材３２と第３の板状部材に囲まれた内側空間３５を有する「Ｃ」字型となる。
スライドレール３０の手前側の一端３０ａ及び、奥側の他端３０ｂは、前記「Ｃ」字型断面形状に開放されている。
【００２４】
また、スライドレール３０は、スライドレール３０を内枠２に固定するための鍔部３４ａ，３４ｂを有している。本実施例では、鍔部３４ａは、第１の板状部材３１の上端部から上向きに延出し、鍔部３４ｂは、第１の板状部材３１の下端部から下向きに延出して形成されている。
この鍔部３４ａ，３４ｂには、それぞれ、奥行き方向に所定の間隔で、ネジ孔３４ｃ，３４ｃ，３４ｃが設けられている。このネジ孔３４ｃには、ネジＦが挿し込まれるとともに、該ネジＦが、内枠２の内面２ａの所定位置に締め込まれることによって、鍔部３４ａ，３４ｂが、内枠２と該ネジＦで共締めされる。これにより、スライドレール３０が内枠２の所定位置に固定される。
【００２５】
本実施例では、スライドレール３０に鍔部３４ａ，３４ｂを有し、該鍔部３４ａ，３４ｂが、内枠２と該ネジＦで共締めされる構成を説明したが、スライドレール３０を内枠２に固定する方法は、他の方法が選択されても良い。例えば、強力な接着剤で固定されていても良いし、鍔部３４ａ，３４ｂを有さずに、ネジ孔３４ｃが第１の板状部材３１に設けられていても良い。
なお、スライドレール３０の材質は、案内部材４０を介して表示装置４を確実に支持可能な強度を備えていれば、どのような材質であっても良い。例えば、本実施例では、スライドレール３０は、ステンレス鋼板をプレスして形成されている。
【００２６】
案内部材４０は、図６（ａ）に示すように、ローラー４１と、該ローラー４１を回転自在に軸支する軸部材４２とからなり、図３及び図５に示すように、表示装置４の両側面の前記スライドレール３０と対向した位置に固定されている。本実施例では、前記４つのスライドレール３０の配設位置に合わせて、４つの案内部材４０が配されている。
案内部材４０のローラー４１は、前記スライドレール３０の一端３０ａ側から内側空間３５に挿し込まれて、スライドレール３０に沿って、パチンコ機の奥行き方向に水平移動する。
ローラー４１の形状は、前記スライドレール３０の内側空間３５の高さ方向の寸法よりも僅かに小さい外径を有する円筒形状に形成され、該内側空間３５の幅方向の寸法よりも僅かに小さい厚みを有している。
ローラー４１の材質としては、表示装置４の重量や経年変化によって変形することなく、表示装置４を確実に支持可能な材質が選択される。例えば、本実施例では、ローラー４１の材質として、プラスチック樹脂が選択されている。
【００２７】
軸部材４２は、その一端４２ａに、ローラー４１が配され、その他端４２ｂが、表示装置４の側面に固定される棒状の部材であって、該他端４２ｂが表示装置４に固定されることにより、ローラー４１が表示装置４の所定箇所に固定される。
軸部材４２の長さは、ローラー４１をスライドレール３０の内側空間３５に挿し込んだ場合に、表示装置４との間に掛け渡されるとともに、ローラー４１がスライドレール３０に引っ掛かることなく、自由に移動可能な寸法に設定されていれば良い。
また、軸部材４２の太さは、前記スライドレール３０の所定の間隔３３ａよりも小さな寸法に設定される。これにより、ローラー４１をスライドレール３０の内側空間３５に挿し込んだときに、スライドレール３０の向かい合った第３の板状部材３３，３３に軸部材４２が当接することがなく、表示装置４の水平移動の妨げとなることもない。
【００２８】
軸部材４２の一端４２ａにローラー４１を回動自在に軸支する構成については、特に図示しないが、例えば、軸部材４２の一端４２ａとローラー４１との間に転がり軸受を介在させるなどにより、ローラー４１が軸部材４２を軸にして回動可能となるように構成されていれば良い。
なお、本実施例では、プラスチック樹脂で形成されたローラー４１が、軸部材４２の一端４２ａに回動自在に軸支される構成を説明したが、ローラー４１がスライドレール３０に引っ掛かることなく、自由に移動可能に構成されていれば、他の構成としても良い。例えば、ローラー４１を摺動性の高い材質で形成すれば、ローラー４１を軸部材４２の一端４２ａに回動自在に軸支する構成を有さない構成としても良い。摺動性の高い材質としては、例えば、フッ素樹脂や金属等が選択されても良い。
【００２９】
軸部材４２の他端４２ｂは、表示装置４の側面の所定箇所に設けられた孔４ｂに嵌入されている。
軸部材４２を表示装置４に固定する方法は、本実施例では、表示装置４の孔４ｂに雌ネジが形成されるとともに、軸部材４２の他端４２ｂに雄ネジが形成され、該他端４２ｂの雄ネジと孔４ｂの雌ネジが螺合することによって固定されている。
なお、軸部材４２を表示装置４に固定する方法はこれに限定されず、表示装置４に軸部材４２が確実に固定されれば、どのような固定方法が採用されても良く、強力な接着剤によって固定されても良いし、或いは、表示装置４の枠部材を成形する際に、軸部材４２を該枠部材と一体成形することによって固定されていても良い。
【００３０】
内枠２の所定位置に配されたスリット２ｂは、内枠２の垂直方向の外面２ｄから内面２ａを貫通するとともに、パチンコ機の奥行き方向に延設された長孔として形成されている。また、該スリット２ｂは、表示装置４の水平移動可能な範囲よりも長い奥行き方向の長さを有している。これにより、表示装置４を水平移動する際に、該スリット２ｂから手指や棒などを挿し込んで、表示装置４を動かすことができる。
【００３１】
固定手段Ｄは、前記軸部材４２のネジ孔４２ｃと、スライドレール３０のスリット３６と、内枠２の所定箇所に設けられたスリット２ｃと、スリット２ｃ及びスリット３６に挿し込まれてネジ孔４２ｃと螺合するネジＧとからなる。
表示装置４を内枠２に対して固定する際には、ネジＧが、内枠２のスリット２ｃと、スライドレール３０のスリット３６を介して、軸部材４２のネジ孔４２ｃにねじ込まれる。
【００３２】
軸部材４２のネジ孔４２ｃは、ネジＧのネジ部Ｇ１と螺合可能なピッチを有して、軸部材４２の一端４２ａに、該一端４２ａから軸部材４２の軸方向に形成されている。
スライドレール３０のスリット３６は、第１の板状部材３１を貫通するとともに、パチンコ機の奥行き方向に延設された長孔として形成されている。
また、スリット３６は、ローラー４１をスライドレール３０の内側空間３５に挿し込んだときに、スリット３６を介して軸部材４２のネジ孔４２ｃにネジＧをねじ込むことが可能な位置に配されている。
スリット３６の大きさは、ネジＧのネジ部Ｇ１よりも大きく、ネジ頭Ｇ２よりも小さく設定されている。
【００３３】
内枠２の所定箇所に設けられたスリット２ｃは、内枠２の垂直方向の外面２ｄから内面２ａを貫通するとともに、パチンコ機の奥行き方向に延設された長孔として形成されている。
また、スリット２ｃは、内枠２に固定されたスライドレール３０のスリット３６が、外面２ｄ側から臨む位置に配されている。このとき、スリット2ｃの大きさは、ネジＧのネジ部Ｇ１の径よりも大きく、ネジ頭Ｇ２の径よりも小さく設定されている。これにより、スリット２ｃからネジＧのネジ部Ｇ１を挿し込んで、スリット３６を通して、軸部材４２のネジ孔４２ｃに締め込むことができる。この場合、ネジ頭Ｇ２は、内枠２のスリット２ｃの周辺に当接する。
本実施例では、パチンコ機の奥行き方向に延設されたスリット２ｃが、スライドレール３０に合わせ、合計４箇所に配されている。
【００３４】
ストッパＥは、図８に示すように、ピン本体６０であって、所定の全長Ｌを有する断面形状が円形の棒状体に形成されるとともに、ピン本体６０の外周から外向きに一体となって延出した断面円形状の鍔部６３を有している。
ピン本体６０の一端６１から該鍔部６３の反一端６１方向の端面６３ａまでの寸法は、所定長さＬ１となる位置に配され、また、ピン本体６０の他端６２から鍔部６３の反一端６１方向の端面６３ａまでの寸法は、所定長さＬ２となるように設定されている。
該ピン本体６０の一端側６１は、遊技盤５の孔５ｄと嵌合し、ピン本体６０の他端６２は、表示装置４の孔４ｄと嵌合する。これにより、ピン本体６０が、表示装置４と遊技盤５との間に挟み込まれて、表示装置４と遊技盤５との間隔が、所定の間隔よりも近接することを防止する。
【００３５】
ピン本体６０の材質は、表示装置４と遊技盤５との間に挟み込まれた際に変形することなく、表示装置４と遊技盤５との間隔を維持可能な強度を有する材質が選択される。例えば、本実施例では、ピン本体６０の材質として硬質樹脂が選択されている。
なお、本実施例では、ピン本体６０の断面形状が円形となるように形成したが、これに限定されず、他の断面形状が採用されても良い。例えば、矩形の断面形状が採用されても良い。
【００３６】
表示装置４の孔４ｄは、表示装置４の遊技盤５と対向する面４ａに所定数備えられている。本実施例では、図３に示すように、表示装置４の四隅近辺にそれぞれ１つずつ、合計４つ備えられている。
孔４ｄの形状は、図８に示すように、ピン本体６０の他端６２側の断面形状よりも僅かに大径の円形に形成されている。これにより、ピン本体６０の他端６２が孔４ｄに嵌合することができる。なお、ピン本体６０が他の断面形状に形成されている場合には、孔４ｄの形状もピン本体６０の断面形状に合わせた形状に形成される。
孔４ｄの深さＬ３は、ピン本体６０の鍔部６３の端面６３ａからピン本体６０の他端６２までの寸法Ｌ２と同じか、或いは、該寸法Ｌ２よりも深く設定される。これにより、孔４ｄにピン本体６０の他端６２を挿し込んだ場合に、ピン本体６０の鍔部６３の端面６３ａが、表示装置４の面４ａと当接するので、ピン本体６０に対して斜め方向の外力が作用した場合であっても、ピン本体６０が傾くことなく安定する。なお、本実施例では、孔４ｄの深さＬ３は、該寸法Ｌ２と同じ寸法となるように設定されている。
【００３７】
遊技盤５の孔５ｄは、遊技盤５の背面の前記表示装置４の孔４ｄに挿し込まれたピン本体６０の一端６１が当接する位置に配されている。なお、本実施例では、遊技盤５は、遊技盤ベース５ａの背面にスペーサＳを有しているので、孔５ｄは、スペーサＳの背面Ｓ１に設けられている。
また、孔５ｄが配される数や位置は、表示装置４の孔４ｄが配される数や位置に合わせて設定される。本実施例では、スペーサＳの背面Ｓ１の四隅近辺にそれぞれ１つずつ、合計４つ備えられている。
【００３８】
孔５ｄの形状は、図８に示すように、ピン本体６０の一端６１側の断面形状よりも僅かに大径の円形に形成されている。これにより、ピン本体６０の他端６２が孔４ｄに嵌合することができる。なお、ピン本体６０が他の断面形状に形成されている場合には、孔５ｄの形状もピン本体６０の断面形状に合わせた形状に形成される。
【００３９】
孔５ｄの深さＬ４は、ピン本体６０の一端６１が挿し込まれ、孔５ｄの孔底５ｆに一端６１が当接した状態において、表示装置４側に最も飛び出している遊技盤５の突出部５ｅと、表示装置４の遊技盤５と対向する面４ａとが、所定の寸法（間隔）Ｌ５を維持するように設定される。
遊技盤５を交換する場合に、遊技盤５の奥行き方向の寸法が相違しても、寸法Ｌ５を所定の間隔とする方法としては、本実施例では、ピン本体６０の一端６１から該鍔部６３の反一端６１方向の端面６３ａまでの寸法Ｌ１を一定の所定の寸法に形成しておき、孔５ｄの深さ寸法Ｌ４を遊技盤５の奥行き方向の寸法に合わせた寸法に設定する方法が採用されている。
また、他の方法として、孔５ｄの深さ寸法Ｌ４を一定に形成しておいて、ピン本体６０の寸法Ｌ１を遊技盤５の奥行き方向の寸法に合わせた寸法に設定する方法や、あるいは、孔５ｄの深さ寸法Ｌ４と、ピン本体６０の寸法Ｌ１の双方を遊技盤５の奥行き方向の寸法に合わせてそれぞれ個別に設定する方法が採用されても良い。
なお、本実施例では、該ピン本体６０の一端側６１が、遊技盤５の孔５ｄと嵌合し、ピン本体６０の他端６２が、表示装置４の孔４ｄと嵌合する場合を説明したが、該ピン本体６０の一端側６１が、表示装置４の孔４ｄと嵌合し、ピン本体６０の他端６２が、遊技盤５の孔５ｄと嵌合しても良い。また、ピン本体６０が表示装置４と遊技盤５との間に挟み込まれて、表示装置４と遊技盤５との間隔を所定の間隔Ｌ５とすることができれば、表示装置４の孔４ｄや遊技盤５の孔５ｄが無い構成としても良い。
【００４０】
ここで、本実施例によるパチンコ機において、表示装置４と遊技盤５を組み込む工程を説明する。
まず、予め、表示装置４の４つの孔４ｄに、４本のストッパＥのピン本体６０の他端６２をそれぞれ挿し込み、ピン本体６０を表示装置４に固定する。
次に、内枠２に固定された４つのスライドレール３０の内側空間３５に、表示装置４に固定された案内部材４０の４つのローラー４１をそれぞれ挿し込むとともに、表示装置４を内枠２に対して、パチンコ機の奥行き方向に、内枠２の奥側まで、水平移動させる。
【００４１】
次に、遊技盤５を内枠２の前面側から、所定の奥行き方向位置に取り付け固定する。
このとき、前記表示装置４の奥行き方向の位置が、適正な取り付け位置よりも奥側であれば、表示装置４の遊技盤５と対向する面４ａと遊技盤５の突出部５ｅとの寸法は、所定の間隔Ｌ５よりも大きくなっている。
次に、内枠２のスリット２ｂから、手指や棒などを挿し込んで、表示装置４の位置を遊技盤５に向けて水平移動させる。
これにより、表示装置４の遊技盤５に対向する面４ａと、遊技盤５の突出部５ｅとの寸法が、徐々に小さくなって所定の間隔Ｌ５に近づく。
表示装置４の面４ａと遊技盤５の突出部５ｅとの寸法が所定の間隔Ｌ５に近づくと、ストッパＥのピン本体６０の一端６１が、遊技盤５（スペーサＳ）の孔５ｄに挿し込まれる。さらに、一端６１が孔５ｄの孔底５ｆに当接したときに、表示装置４の移動が抑制される。
このとき、表示装置４の面４ａと遊技盤５の突出部５ｅとの寸法は、所定の間隔Ｌ５にセットされている。
【００４２】
また、前記表示装置４の奥行き方向の位置が、適正な取り付け位置よりも手前側である場合には、遊技盤５を所定の奥行き方向位置に向けて押し込んだ際に、表示装置４と遊技盤５が衝突する虞があるが、本実施例では、表示装置４と遊技盤５との間にストッパＥが介在しているので、遊技盤５を取り付ける作業によって、表示装置４の遊技盤５と対向する面４ａと遊技盤５の突出部５ｅとの寸法が、所定の間隔Ｌ５に自動的に調整される。
具体的には、遊技盤５を内枠２の前面側から、所定の奥行き方向位置に向けて押し込む際に、ストッパＥのピン本体６０の一端６１が、遊技盤５（スペーサＳ）の孔５ｄに挿し込まれて、孔５ｄの孔底５ｆに当接する。
このとき、表示装置４は、ピン本体６０の他端６２が固定されているので、表示装置４の面４ａと遊技盤５の突出部５ｅとの寸法が、所定の間隔Ｌ５にセットされた状態で、遊技盤５と一緒に奥行き方向に移動することとなる。
【００４３】
また、パチンコ機の遊技盤５のみを交換する場合には、表示装置４は、内枠２に取り付けられたままの状態で良いが、新しい遊技盤５の奥行き方向の寸法が、取り外した遊技盤５の奥行き方向の寸法と相違していれば、表示装置４の面４ａと遊技盤５の突出部５ｅとの寸法は、所定の寸法Ｌ５とはならず、突出部５ｅの突出量に応じて変化している。
この場合、表示装置４と遊技盤５との間隔を、適正な所定な間隔Ｌ５に調整する必要がある。
このため、新しい遊技盤５の奥行き方向の寸法に合わせて所定の寸法Ｌ５をセットし得るように、各寸法が設定されたストッパＥが使用される。そして、上述した工程と同様の工程にて、遊技盤５を取り付けることにより、表示装置４と遊技盤５との間隔が、適正な所定な間隔Ｌ５に調整される。
【００４４】
表示装置４の面４ａと遊技盤５の突出部５ｅとの寸法が所定の間隔Ｌ５にセットされて、表示装置４の移動が終了した後には、ネジＧのネジ部Ｇ１を内枠２のスリット２ｃとスライドレール３０のスリット３６に挿し入れる。ネジＧのネジ部Ｇ１は、案内部材４０の軸部材４２のネジ孔４２ｃにねじ込まれ、ネジ頭Ｇ２が内枠２のスリット２ｃの周辺に当接する。これにより、軸部材４２と内枠２が共締めされて、表示装置４の位置が内枠２に対して固定される。
【００４５】
本実施例によるパチンコ機によれば、遊技盤の奥行き方向の寸法が相違した新しい遊技盤５を組み込む場合であっても、表示装置４を内枠２に固定されたスライドレール３０に沿って、内枠２に対して奥行き方向に水平移動可能な移動手段Ｃを備えたので、表示装置４と遊技盤５との間隔を適切な所定の間隔Ｌ５に調整することができる。
従って、新しい遊技盤の奥行き方向の寸法が増加して、突出部５ｅの奥行き方向の位置が相違していても、該突出部５ｅが、遊技盤５の背面側に配される表示装置４に当接して、表示装置４に傷が生じたり、放熱が不十分になったりする虞がない。
【００４６】
また、移動手段Ｃによって表示装置４を水平移動させて、表示装置４と遊技盤５との間隔を適切な所定の間隔Ｌ５に調整する際に、表示装置４と遊技盤５との間隔が、適切な所定の間隔Ｌ５よりも近接することを防止するストッパＥを備えたので、表示装置４と遊技盤５との間隔を計測することなく適切な所定の間隔Ｌ５に設定することができる。このため、調整作業が容易になるとともに、作業時間を短縮することができる。
また、遊技盤５の奥行き方向の寸法が相違した場合であっても、前記適切な所定の間隔Ｌ５となるように、ストッパＥの設定を容易に変更することができる。
さらに、適正な所定の間隔Ｌ５となるように調整された表示装置４の奥行き方向の位置を固定する固定手段Ｄを備えたので、表示装置４と遊技盤５との間隔が維持され、表示装置４が移動して表示装置４に傷が生じたり、放熱の問題が生じたりする虞がない。
【００４７】
なお、本実施例では、パチンコ機が、移動手段Ｃと固定手段ＤとストッパＥを有する場合を説明したが、これに限定されず、パチンコ機は、移動手段Ｃのみを有していても良いし、あるいは、移動手段Ｃと固定手段Ｄを有し、ストッパＥを有していなくても良い。
【００４８】
（変形例１）
ストッパＥのピン本体６０の他端６２側には、図９に示すように、ピン本体６０の抜け落ちを防止する係止片６４を備えていても良い。
具体的には、係止片６４は、ピン本体６０の他端６２側の外周から、外向きに一体となって延出した板状体として形成されている。
この場合、係止片６４の鍔部６３対向面６４ａから、鍔部６３の反一端６１方向の端面６３ａまでの寸法が、所定の長さＬ２となるように設定されれば良い。なお、係止片６４の幅（ピン本体６０軸方向の寸法）や、延出長さ（径方向の寸法）は、任意に設定されれば良い。また、ピン本体６０の他端６２側は、係止片６４の幅に合わせて延長される。
なお、ピン本体６０のその他の構成や、鍔部６３の構成は、上述した本実施例のピン本体６０や鍔部６３の構成と同様であるので、その説明を省略する。
【００４９】
本変形例１のストッパＥを使用する場合には、表示装置４の側面に、該表示装置４から一体に延出するとともに、ストッパＥが嵌合する貫通孔４ｄを備えた耳部４ｆを設ける。
この場合、該耳部４ｆの厚み（奥行き方向の寸法）Ｌ３が、前記係止片６４から鍔部６３までの寸法Ｌ２と同じ寸法に設定される。また、耳部４ｆは、その遊技盤５に対向する面４ｈが、表示装置４の遊技盤５と対向する面４ａと同一面に位置するように配されている。なお、耳部４ｆは、表示装置４の案内部材４０がスライドレール３０に挿し込まれる際の妨げとならないように、案内部材４０とは離間して配されている。
【００５０】
貫通孔４ｄには、ストッパＥのピン本体６０と、該ピン本体６０から一体に延出した係止片６４が挿し込まれて貫通する。このため、貫通孔４ｄは、ピン本体６０が貫通する円形孔４ｋと、該円形孔４ｋと連通して設けられ、係止片６４が貫通する細孔4ｍとで形成されている。貫通孔４ｄにストッパＥを挿し込み、鍔部６３の反一端６１方向の端面６３ａが耳部４ｆの面４ｈと当接したときに、係止片６４は、耳部４ｆの反遊技盤５対向面４ｇを超えて突出する。
そして、ストッパＥをピン本体６０の軸を中心に回転させると、係止片６４の鍔部６３対向面６４ａが耳部４ｆの反遊技盤５対向面４ｇに摺接しながら回動する。
【００５１】
このとき、係止片６４の鍔部６３対向面６４ａが、耳部４ｆの反遊技盤５対向面４ｇに摺接するとともに、鍔部６４の反一端６１方向の端面６３ａが、耳部４ｆの遊技盤５対向面４ｈにしているので、ストッパＥは、耳部４ｆの貫通穴４ｄから抜け落ちることがないので、パチンコ機に遊技盤５を取り付ける際に、ストッパＥの抜け落ちによって作業が中断されることもなく、作業性が向上した。
また、ストッパＥの抜け落ちによって、表示装置４が適正な取り付け位置にセットされない事態を防止することができるので、作業の確実性が向上した。
なお、本変形例１によるパチンコ機のその他の構成及び作用効果は、前述した本実施例のパチンコ機の構成及び作用効果と同様であるので、その説明を省略する。
【００５２】
また、本変形例１では、一例として、表示装置４に耳部４ｆを設けて、該耳部４ｆにストッパＥを固定した場合を説明したが、ストッパＥが固定される場所は、本変形例１のストッパＥが表示装置４の所定箇所に固定されれば、これに限定されず、他の構成であっても良い。例えば、貫通孔４ｄは、表示装置４の厚さ（奥行き方向の寸法）を貫通して設けられるとともに、ピン本体６０の寸法Ｌ２が、表示装置４の厚さ寸法に合わせて設定されても良い。この場合であっても、本変形例１と同様の作用及び効果が得られる。
【００５３】
（変形例２）
図１０は、変形例２を示す。
本実施例では、内枠２の所定箇所に設けられたスリット２ｃの大きさが、ネジＧのネジ部Ｇ１の径よりも大きく、ネジ頭Ｇ２の径よりも小さく設定された構成（固定手段Ｄ）によって、ネジ頭Ｇ２が、内枠２のスリット２ｃの周辺に当接する場合を説明したが、スリット２ｃの大きさは、ネジ頭Ｇ２の径よりも大きく設定されていても良い。
【００５４】
このように構成すれば、ネジ頭Ｇ２は、スライドレール３０のスリット３６の周辺に当接する。従って、内枠２のスリット２ｃに収納されるので、内枠２の外側にネジ頭Ｇ１が出っ張ることがないので、内枠２と外枠１との隙間がないパチンコ機であっても、外枠１を傷つけることがない。
なお、その他の構成については、本実施例の構成と同様であるので、その説明を省略する。このように構成した場合であっても、本実施例と同様の効果を奏することができる。
【００５５】
（変形例３）
図１１は、変形例３を示す。
本実施例では、ネジＧが、内枠２のスリット２ｃとスライドレール３０のスリット３６を介して、軸部材４２のネジ孔４２ｃに締め込まれる構成（固定手段Ｄ）によって、表示装置４が内枠２に固定される場合を説明したが、該固定手段Ｄの構成の一部を次の構成に代えても良い。
すなわち、本変形例３では、スライドレール３０には、スリット３６に代えて、複数の孔３６ａ，３６ａ・・・が、奥行き方向に所定の間隔で配列されており、軸部材４２には、ネジ孔４２ｃに代えて、軸部材４２の一端４２ａ方向に付勢するバネＪを収容した、所定の深さを有する孔４２ｄが設けられており、ネジＧに代えて、前記孔４２ｄから、軸部材４２の一端４２ａを超えて突没可能な長さを有するピンＨが設けられた構成となっている。なお、その他の構成については、実施例１の構成と同一であるので、説明を省略する。
【００５６】
このような構成によれば、ピンＨを軸部材４２の孔４２ｄに完全に押し込んだ状態で、ローラー４１をスライドレール３０の内側空間３５に挿し入れることで、表示装置４が奥行き方向に水平移動可能となり、スライドレール３０の孔３６ａのある位置に移動すると、ピンＨが、バネＪによる付勢力によって、該孔３６ａを通って内枠２方向に突出する。
これにより、ピンＨが孔３６ａと係合して、表示装置４の奥行き方向の位置が固定される。その際、孔３６ａは、奥行き方向に所定の間隔で複数配列されているので、表示装置４が所望の奥行き方向位置に水平移動するまで、ピンＨを孔４２ｄに押し込む工程を繰り返せば良い。
その他の構成は、上述した本実施例の構成と同様であるので、その説明を省略する。このように構成した場合であっても、本実施例と同様の効果を奏することができる。
なお、ピンＨは、表示装置４が所望の奥行き方向の位置に水平移動して、軸部材４２の孔４２ｄとスライドレール３０の孔３６ａが重なったときに、スライドレール３０の外枠２側から挿し込むものとしても良い。
【００５７】
（変形例４）
本実施例では、案内部材４０が、スライドレール３０の内側空間３５を移動する構成（移動手段Ｃ）によって、表示装置４をスライドレールに沿って遊技機の奥行き方向に水平移動させる場合を説明したが、該移動手段Ｃの構成の一部を次の構成に代えても良い。
すなわち、本変形例３では、スライドレール３０と、案内部材４０に代えて、図示を省略するが、直動装置が採用されていても良い。この場合、直動装置は、例えば、奥行き方向に延出したガイドレールと、ガイドレールに沿って移動可能なスライダと、スライダの移動に伴ってガイドレールとスライダとの間を回転しながら転走自在に配置された複数の転動体とで構成されていても良い。
なお、その他の構成は、上述した本実施例の構成と同様であるので、その説明を省略する。このように構成した場合であっても、本実施例と同様の効果を奏することができる。
【実施例２】
【００５８】
上述した実施例１では、パチンコ機が、移動手段Ｃと固定手段ＤとストッパＥを有する場合を説明したが、ストッパＥのみを有したパチンコ機としても良い。ストッパＥのみを有した構成のパチンコ機であっても、パチンコ機を構成するその他の構成は、上述した実施例１の構成と同様であるので、その説明を省略する。
このような構成によれば、遊技盤５を取り付ける際に、ストッパＥによって、表示装置４と遊技盤５との間隔を適正な所定の間隔Ｌ５に設定することが容易である。従って、遊技盤５の取り付け作業に熟練を要さなくなった。また、表示装置４と遊技盤５との間隔を計測する必要もないので、作業時間を短縮することができ、作業コストの削減に貢献することができる。
【００５９】
また、上述した各実施例及び変形例では、表示装置４が内枠２に対して水平移動可能な構成とした場合を説明したが、これに限定されず、表示装置４を内枠２に固定し、遊技盤５を内枠２に対して水平移動可能となるように構成しても良い。この場合には、移動手段Ｃの案内部材４０を遊技盤５に固定することにより、遊技盤５を内枠２に対して水平移動可能な構成とすれば良い。この場合には、移動後の遊技盤５は、固定手段Ｄによって固定されるように構成すれば良い。
あるいは、表示装置４と遊技盤５の双方が内枠２に対して水平動可能となるように構成しても良い。この場合には、遊技盤５と表示装置４のそれぞれに案内部材４０を固定して、表示装置４と遊技盤５の双方が内枠２に対して水平移動可能な構成とすれば良い。この場合には、固定手段Ｄは、表示装置４と遊技盤５の双方をそれぞれ固定するように構成すれば良い。
【００６０】
また、上述した各実施例及び変形例では、ストッパＥは、ピン本体６０を表示装置４に固定する場合を説明したが、これに限定されず、ピン本体６０は遊技盤５に固定されても良い。この場合には、ピン本体６０の他端６２が遊技盤５の孔５ｄに挿し込み固定され、ピンの一端６１が表示装置４の孔４ｄに挿し込まれれば良い。
また、内枠２のスリット２ｂ及びスリット２ｃは、表示装置４と遊技盤５との間隔が、適正な所定の寸法Ｌ５に調整された後に、カバー等で塞がれても良い。このようにすれば、パチンコ機の外部から、スリット２ｂ及びスリット２ｃに針金等を挿し込むことができないので、不正防止の効果がある。
なお、上述した各実施例及び変形例では、本発明をパチンコ機に適用した場合を説明したが、本発明はパチスロ機に適用することもできる。
【図面の簡単な説明】
【００６１】
【図１】本発明を適用したパチンコ機の一実施例を示す正面図。
【図２】図１の斜視図。
【図３】遊技盤を取り外した状態を示す正面図。
【図４】図１の斜視図。
【図５】本発明を適用したパチンコ機の構成図。
【図６】（ａ）は、スライドレールと案内部材の関係を示す説明図、（ｂ）は、スライドレールと案内部材とネジとの関係を示す説明図、（ｃ）は、案内部材の軸部材にネジを締め込んだ状態を示す断面図。
【図７】内枠のスリットを示す側面図。
【図８】（ａ）は、ストッパのピン本体を示す斜視図、（ｂ）は、ピン本体と表示装置との関係を示す説明図、（ｃ）は、ピン本体と表示装置と遊技盤との関係を示す説明図、（ｄ）は、表示装置と遊技盤が所定の間隔に設定された状態を示す説明図。
【図９】ストッパの変形例を示し、（ａ）は、ストッパのピン本体を示す斜視図、（ｂ）は、ピン本体と表示装置との関係を示す説明図、（ｃ）は、表示装置の孔の形状を示す拡大図、（ｄ）は、表示装置の孔とピン本体の係止片との関係を示す拡大図。
【図１０】固定手段の変形例を示す説明図。
【図１１】（ａ）は、固定手段のその他の構成を示す斜視図、（ｂ）は、その断面図。
【符号の説明】
【００６２】
４  表示装置
５  遊技盤
３０  スライドレール
４０  案内部材
Ｃ  移動手段
Ｅ  ストッパ
Ｄ  固定手段
【図１】
2010051636.tif 000003
【図２】
2010051636.tif 000004
【図３】
2010051636.tif 000005
【図４】
2010051636.tif 000006
【図５】
2010051636.tif 000007
【図６】
2010051636.tif 000008
【図７】
2010051636.tif 000009
【図８】
2010051636.tif 000010
【図９】
2010051636.tif 000011
【図１０】
2010051636.tif 000012
【図１１】
2010051636.tif 000013